(57)【要約】【課題】使用者に対して安全性の高い加熱調理器を提供する。【解決手段】水蒸気発生手段３１からの水蒸気を使用するスチーム調理で、そのスチーム調理の終了時に庫内温度検出手段で加熱室２内の温度を検出し、その検出温度が設定した閾値を超えている場合は、加熱室２内が高温状態であることを報知手段で報知する。こうして、加熱室２を開けたときに水蒸気が吹き出す可能性があることを、事前に使用者に知らせて注意を促すことで、安全性の高い加熱調理器を提供できる。【選択図】図３
2015222133.tif 000002
【特許請求の範囲】
【請求項１】
被加熱物を収容する加熱室と、
水を加熱して蒸気を発生させ、その蒸気を前記加熱室に送り込む蒸気発生手段と、
前記加熱室の温度を検出する温度検出手段と、
報知手段と、を備え、
前記蒸気発生手段を使用する調理で、その調理の終了時に前記温度検出手段からの検出温度が閾値を超えた場合に、前記報知手段からの報知を行なう構成としたことを特徴とする加熱調理器。
【請求項２】
被加熱物を収容する加熱室と、
前記加熱室にマイクロ波エネルギーを供給して、前記被加熱物を加熱するマイクロ波供給手段と、
前記マイクロ波の出力を制御する制御手段と、
前記加熱室の底面全体の温度を検出する温度検出手段と、
報知手段と、を備え、
前記加熱室の底面の一定範囲で、前記温度検出手段からの検出温度の一定時間における変化量が閾値を超えた場合に、前記マイクロ波供給手段による加熱を停止して、前記報知手段からの報知を行なう構成としたことを特徴とする加熱調理器。
【発明の詳細な説明】
【技術分野】
【０００１】
本発明は、加熱室に収容した被加熱物を、水蒸気やマイクロ波エネルギーを利用して加熱調理する加熱調理器に関する。
【背景技術】
【０００２】
従来の加熱調理器として、例えば特許文献１には、加熱室内に被加熱物を収容した状態で、蒸し料理のメニューを選択すると、加熱手段への通電で被加熱物を加熱しながら、蒸気発生手段内で加熱された水を、加熱室内に蒸気として送り込み、所定の調理時間が経過すると、加熱手段の通電と蒸気発生手段の動作が停止して、報知手段から使用者に調理終了を報知するものが開示されている。
【０００３】
また、別な特許文献２には、加熱物に収容した被加熱物が吹きこぼれないように、被加熱物の加熱状態に応じて、マイクロ波供給手段からのマイクロ波エネルギーを低出力で連続駆動させるような制御手段を備えた加熱調理器が開示されている。
【先行技術文献】
【特許文献】
【０００４】
【特許文献１】特開２００８−３２３０４号公報
【特許文献２】特開２００２−３３４７７６号公報
【発明の概要】
【発明が解決しようとする課題】
【０００５】
特許文献１の加熱調理器は、加熱手段で被加熱物を加熱しながら、蒸気発生手段からの水蒸気を使用する調理で、調理が終了すると報知手段がその旨を報知している。しかし、調理終了時に被加熱物を取り出そうとして、加熱室の前面開口を覆う扉を開けると、場合によっては水蒸気が扉前部より吹き出す可能性があり、使用者に対して安全性の高い加熱調理器が求められていた。
【０００６】
また、特許文献２の加熱調理器では、レンジ調理時に被加熱物が吹きこぼれないような加熱制御を行なっているものの、何らかの要因で吹きこぼれてしまった場合、そのまま加熱を継続すると食材が無駄になり、また加熱室内も次第に汚れていく。
【０００７】
そこで本発明は上記問題点に鑑み、使用者に対して安全性の高い加熱調理器を提供することを第１の目的とする。
【０００８】
また、本発明の第２の目的は、食材を無駄にせず、加熱室内をそれ以上汚さない状態にして、レンジ調理中に吹きこぼれが生じたのを、使用者に知らせて注意を促すことが可能な加熱調理器を提供することにある。
【課題を解決するための手段】
【０００９】
請求項１の発明は、前記第１の目的を達成するために、被加熱物を収容する加熱室と、水を加熱して蒸気を発生させ、その蒸気を前記加熱室に送り込む蒸気発生手段と、前記加熱室の温度を検出する温度検出手段と、報知手段と、を備え、前記蒸気発生手段を使用する調理で、その調理の終了時に前記温度検出手段からの検出温度が閾値を超えた場合に、前記報知手段からの報知を行なう構成としたことを特徴とする。
【００１０】
請求項２の発明は、前記第２の目的を達成するために、被加熱物を収容する加熱室と、前記加熱室にマイクロ波エネルギーを供給して、前記被加熱物を加熱するマイクロ波供給手段と、前記マイクロ波の出力を制御する制御手段と、前記加熱室の底面全体の温度を検出する温度検出手段と、報知手段と、を備え、前記加熱室の底面の一定範囲で、前記温度検出手段からの検出温度の一定時間における変化量が閾値を超えた場合に、前記マイクロ波供給手段による加熱を停止して、前記報知手段からの報知を行なう構成としたことを特徴とする。
【発明の効果】
【００１１】
請求項１の発明によれば、蒸気発生手段からの水蒸気を使用する調理で、調理終了時に温度検出手段で加熱室内の温度を検出し、その検出温度が設定した閾値を超えている場合は、加熱室内が高温状態であることを報知手段で報知する。こうして、加熱室を開けたときに水蒸気が吹き出す可能性があることを、事前に使用者に知らせて注意を促すことで、安全性の高い加熱調理器を提供できる。
【００１２】
請求項２の発明によれば、マイクロ波供給手段からのマイクロ波エネルギーで被加熱物を加熱するレンジ調理中に、温度検出手段からの検出温度の一定時間における変化量が閾値を超えると、マイクロ波供給手段による加熱を停止し、加熱室内で吹きこぼれが発生したことを報知手段で報知する。こうして、食材を無駄にせず、加熱室内をそれ以上汚さない状態にして、レンジ調理中に吹きこぼれが生じたのを、使用者に知らせて注意を促すことが可能な加熱調理器を提供できる。
【図面の簡単な説明】
【００１３】
【図１】本発明の加熱調理器をオーブンレンジに適用した場合の外観を示す正面図である。
【図２】同上、より模式的に示した外観図である。
【図３】同上、オーブンレンジの主にスチーム機能とオーブン機能に係る内部構造を示す概略図である。
【図４】同上、扉を取り除いた状態の本体を正面から見た図である。
【図５】同上、オーブンレンジの内部構造を示す概略断面図である。
【図６】同上、オーブンレンジの電気的構成を示すブロック図である。
【図７】同上、スチーム調理に関係する動作手順の一例を示すフローチャートである。
【図８】同上、レンジ調理に関係する動作手順の一例を示すフローチャートである。
【図９】同上、レンジ調理中に吹きこぼれが発生した状態を模式的に示す外観図である。
【発明を実施するための形態】
【００１４】
図１は、加熱調理器であるオーブンレンジの外観図である。矩形箱状に形成される本体１の内部には、被加熱物を収容して加熱調理する加熱室２が形成される。この加熱室２は、左右方向に幅広とし、その大きな前面開口を開閉するための扉３が設けられる。従って、扉３は本体１の前面のほぼ全体を覆うように設けられ、その下端部が回動自在に軸支される。
【００１５】
扉３の上部には、扉３を開閉するときに手をかける開閉操作用のハンドル４を備えており、扉３の下部には、表示や報知や操作のための操作パネル部５を備えている。操作パネル部５は、調理の設定内容や進行状況などを表示する表示手段６の他に、操作手段７として、調理に関する加熱条件を設定するための第１加熱条件設定手段８および第２加熱条件設定手段９や、加熱の開始を指示する加熱開始指示手段１０や、設定を取消したり調理を中止したりするための取消指示手段１１を備えて構成される。操作パネル部５の後側には、図示しないが、表示手段６や操作手段７などの制御を行なうために、後述するマイコン５１などを搭載した操作パネルＰＣ（印刷回路）板（図示せず）が配置される。
【００１６】
第１加熱条件設定手段８は、電子式のタッチキーであり、調理の時間や温度の設定が不要な自動調理のための調理メニューの選択を行なう「のみもの」キーや「ゆで物」キーの他に、調理の時間や温度または出力の設定が必要な手動調理の選択を行なう「レンジ」キーや、「オーブン」キーや、「スチーム」キーからなり、これらの複数の押釦式キーを並設して構成される。また第２加熱条件設定手段９は、手動調理における調理の時間や温度を設定する他に、自動調理において「のみもの」や「ゆで物」以外の調理メニューを選択するために、回転を検知するエンコーダで構成される回動自在なダイヤルである。加熱開始指示手段１０は、第１加熱条件設定手段８や第２加熱条件設定手段９で加熱条件を設定した後に、加熱室２内の被加熱物に対する加熱を開始するためのキーで、取消指示手段１１は、加熱条件の取消しや加熱調理を中止するためのキーである。これらの加熱開始指示手段１０や取消指示手段１１は、メカ式のキー（タクタイルスイッチ）である。
【００１７】
表示手段６は、例えば調理メニューの番号や、温度や、時間や、出力などを表示する液晶表示手段１４と、調理の進行状況に応じて点滅や点灯表示するＬＥＤ表示手段１５とにより構成される。
【００１８】
図２は、図１に示すオーブンレンジをより模式的に示したものである。同図において、１６は操作パネル部５の左側に設けられた報知手段である。この報知手段１６は、例えばブザーやスピーカーなどの電子部品で構成される。なお、ここでは操作パネル部５を本体１の正面下部に配置しているが、図１に示すように扉３の下部に配置してもよい。また、報知手段１６を操作パネル部５以外の箇所に配置してもよい。符号Ｓは、スチーム調理時に加熱室２内に発生する水蒸気であるが、この水蒸気Ｓを発生させる水蒸気発生手段の構成については、後程説明する。
【００１９】
図３は、オーブンレンジの主にオーブン機能に関係する内部構造を示した図である。同図において、本体１の内部には、加熱室２の後方に位置して、熱風を発生する熱風ファンユニット２１が設けられる。この熱風ファンユニット２１は、加熱室２内の被加熱物を加熱する加熱ユニットとして、加熱室２を形成する室内壁面２２の奥側に配置され、空気を加熱する熱風ヒータ２３と、その加熱された空気を加熱室２内に送るための熱風ファン２４と、熱風ファン２４を回転させるための熱風モータ２５とを主な構成要素にしている。熱風ファン２４は、軸方向に取り入れた空気を、回転時の遠心力によって、軸方向と直角な放射方向に吐き出すいわゆる遠心ファンとして設けられており、管状の熱風ヒータ２３は熱風ファン２４の放射方向を取り囲んで配置される。発熱部でもある熱風ヒータ２３は、例えばシーズヒータ、マイカヒータ、石英管ヒータやハロゲンヒータなどを用いる。
【００２０】
熱風ファンユニット２１とは別に、加熱室２の上部には、加熱室２内の被加熱物を加熱する輻射ヒータ２７が設けられる。つまり、本実施例のオーブンレンジは、複数の加熱手段として熱風ヒータ２３と輻射ヒータ２７をそれぞれ別個に備えた構成となっている。
【００２１】
３１は、水蒸気による加熱調理を可能とする水蒸気発生手段である。この水蒸気発生手段３１は、加熱室２の左側壁面に蒸発器ユニット３２を装備している。蒸発器ユニット３２は、蒸発用ヒータとしての棒状のシーズヒータ３３を、例えばアルミダイカスト製で中空の蒸発容器に鋳込んで構成され、対向する加熱室２の左側壁面には、蒸発容器内に連通して複数のスチーム吹出し口３４を備えている。また蒸発器ユニット３２は、蒸発容器内の温度を検出するサーミスタなどの容器温度検出手段３５（図６参照）を備えており、その温度検出に基づき安定した水蒸気を発生可能にしている。
【００２２】
水蒸気発生手段３１はその他に、給水管３６により蒸発器ユニット３２と連通接続する給水ポンプ３７および貯水タンク３８を備えている。貯水タンク３８は本体１から着脱可能に設けられ、使用者が随時容易に給水できるようになっており、貯水タンク３８に水を収容した状態で、給水ポンプ３７が駆動されると、貯水タンク３８から送られてきた水が、所定温度に加熱された蒸発器ユニット３２に導かれて蒸気化され、その蒸気圧によりスチーム吹出し口３４から加熱室２内に蒸気が吹き出される構成となっている。なお３９は、加熱室２の下部に設けられ、オーブンレンジに組み込まれた各部の動作を制御する制御手段である。
【００２３】
図４は、扉３を取り外した状態の本体１を正面から見た図である。同図において、加熱室２後方の室内壁面２２には吸入口４１や排出口４２が形成され、加熱室２と熱風ファンユニット２１の内部空間との間で、空気（熱風）の流れを可能にしている。特に本実施例では、制御手段３９からのモータ制御信号を受けて、熱風モータ２５に駆動電圧が印加され、熱風ファンユニット２１の内部空間で熱風ファン２４が回転すると、加熱室２の奥側の中心部分に位置する吸入口４１から、熱風ファン２４に向けて空気が吸い込まれ、この空気が熱風ファンユニット２１の内部空間で通電した熱風ヒータ２３を通過することで加熱される。そして、加熱された空気は吸入口４１の周囲に配置された複数の排出口４２から排出され、加熱室２内の全体を循環して、そこに収納された被加熱物を加熱調理する構成となっている。
【００２４】
図５は、オーブンレンジの内部構造を示す縦断面図である。同図において、加熱室２の側面上部には、加熱室２に臨む赤外線センサ４３が取付けられている。赤外線センサ４３は、図示しないが例えば８個の直線状に並んだ赤外線温度検出素子からなり、この赤外線センサ４３を本体１の内部でスイング動作させることにより、加熱室２内のほぼ全体の温度分布を検出することを可能にしている。また、加熱室２の下側には、マイクロ波エネルギーを発生させる発生源となるマグネトロン４４と、マグネトロン４４からのマイクロ波を加熱室２の内部に導く導波管４５と、導波管４５から加熱室２にマイクロ波を放射するアンテナ４６と、直立した軸４７を中心にアンテナ４６を水平回転させるＡＣモータなどのアンテナモータ４８と、アンテナ４６の近傍に取付けられるマイクロスイッチ４９が、マイクロ波供給手段５０としてそれぞれ配置される。
【００２５】
アンテナ４６は放射指向性を有し、アンテナモータ４８の軸４７がその中心に取付けられる。また、アンテナ４６は加熱室２の底面のほぼ中央に一つだけ配置される。本実施例のアンテナ４６は円板状の外形を有するが、軸４７から見て一方向にはマイクロ波の放射指向性が大きい部位が形成され、その部位の反対側が、マイクロ波の放射指向性の小さい部位となっている。なお、ここでいう「放射指向性が大きい部位」とは、他の部位に比べてマイクロ波が一方向に集中して放射される指向性の高い部位を意味し、「放射指向性が小さい部位」とは、他の方向に比べてマイクロ波が拡散して放射される指向性の低い部位を意味する。
【００２６】
マイクロスイッチ４９は、アンテナ４６の回転位置に応じて可動するアクチュエータを備えており、ここではアンテナ４６の回転時に、軸４７を原点としてマイクロ波の放射指向性の大きい部位に対して、アンテナ４６の回転方向の反対側で９０度をなす角度の方向にマイクロスイッチ４９が位置する毎に、図示しないアクチュエータが動作して、アンテナ４６が原点位置にあることを示す電気的な検出信号を、マイクロスイッチ４９から制御手段３９に出力する構成となっている。なお、マイクロスイッチ４９に代わり、フォトインタラプタのような非接触の検出素子を利用してもよい。
【００２７】
図６は、上述したオーブンレンジの電気的構成を示している。５１は制御手段３９に相当するマイクロコンピュータ（マイコン）であり、これは演算処理手段としてのＣＰＵや、記憶手段としてのメモリや、入出力デバイスなどを備えている。マイコン５１の入力ポートには、前述した第１加熱条件設定手段８や、第２加熱条件設定手段９や、加熱開始指示手段１０や、取消指示手段１１や、容器温度検出手段３５の他に、加熱室２内の温度を検出するサーミスタなどの庫内温度検出手段５２や、赤外線センサ４３にスイング機構を装備して構成され、加熱室２内全体の温度分布を検出することで、そこに収容された被加熱物の温度を検出可能にする庫内温度分布検出手段５３や、扉３の開閉状態を検出する扉開閉検出手段５４や、マイクロスイッチ４９などを含んで構成され、アンテナ４６の回転の原点を検出する位置検出手段５５が、それぞれ電気的に接続される。また、マイコン５１の出力ポートには、表示手段６や報知手段１６の他に、加熱室２内の被加熱物に対してレンジ加熱を行なうために、マグネトロン４４などを含むマイクロ波加熱手段５６と、加熱室２内の被加熱物に対してヒータ加熱を行なうために、熱風ファンユニット２１の熱風ヒータ２３や、輻射ヒータ２７や、水蒸気発生手段３１のシーズヒータ３３をそれぞれ通断電させるリレーなどのヒータ駆動手段５７と、導波管４５の出口側に設けたアンテナ４６を回転駆動させるために、アンテナモータ４８などを含むアンテナ駆動手段５８と、熱風ファン２４を回転駆動させるために、熱風モータ２５を含むモータ駆動手段５９と、水蒸気発生手段３１の給水ポンプ３７を動作させるためのポンプ駆動手段６０が、それぞれ電気的に接続される。
【００２８】
そしてマイコン５１は、容器温度検出手段３５や、庫内温度検出手段５２や、庫内温度分布検出手段５３や、扉開閉検出手段５４や、位置検出手段５５からの各検出信号と、第１加熱条件設定手段８や、第２加熱条件設定手段９や、加熱開始指示手段１０や、取消指示手段１１からの各操作信号を受けて、マイクロ波加熱手段５６や、ヒータ駆動手段５７や、アンテナ駆動手段５８や、モータ駆動手段５９に駆動用の制御信号を出力し、また表示手段６に表示用の制御信号を出力し、さらに報知手段１６に報知用の制御信号を出力する機能を有する。
【００２９】
マイコン５１は、第１加熱条件設定手段８や、第２加熱条件設定手段９や、加熱開始指示手段１０からの押動操作に伴う操作信号を受け取ると、その操作信号に応じた制御信号を、マイクロ波加熱手段５６や、ヒータ駆動手段５７や、アンテナ駆動手段５８や、モータ駆動手段５９や、ポンプ駆動手段６０に送出して、種々の加熱調理を制御する。その制御時には、加熱室２内の温度を検出する庫内温度検出手段５２からの検出信号や、加熱室２内の温度分布を検出する庫内温度分布検出手段５３からの検出信号や、水蒸気発生手段３１の温度を検出する容器温度検出手段３５からの検出信号を参照にして、加熱室２の温度を所定の値に制御する。
【００３０】
特にマイコン５１は、マイクロ波供給手段５０からのマイクロ波エネルギーで、加熱室２内の被加熱物を加熱するレンジ調理中に、その被加熱物の吹きこぼれを庫内温度分布検出手段５３で検出した場合には、マイクロ波供給手段５０の運転を停止すると共に、被加熱物の吹きこぼれが発生したことを報知手段１６で報知するように制御する。また、少なくとも水蒸気発生手段３１による水蒸気を使ったスチーム調理で、その調理の終了時に加熱室２内が高温でることを庫内温度検出手段５２が検出した場合は、報知手段１６が例えば音声で「扉を開けるときは顔を近づけないでください」と報知するように制御する。さらに、加熱調理中に扉３が開いたことを示す検出信号を、扉開閉検出手段５４から受け取った場合や、取消指示手段１１からの押動操作に伴う操作信号を受取った場合には、加熱調理を直ちに停止するように制御する構成となっている。
【００３１】
次に上記構成について、特にスチーム調理とレンジ調理に関係する動作説明を、図７〜図９の各図を参照しながら説明する。
【００３２】
まず図７に基づき、スチーム調理時の動作について説明すると、ステップＳ１において、マイコン５１は操作手段７からの操作信号に基づき、蒸気を使用するスチーム調理が選択されたか否かを判断する。例えば第１加熱条件設定手段８の「スチーム」キーを一乃至複数回押動操作した場合や、第２加熱条件設定手段９を適宜回転して、蒸し料理に関連する調理メニューの番号を選択した場合、マイコン５１は蒸気を使用するスチーム調理を選択したと判断して、加熱開始指示手段１０からの操作信号を受けて、加熱室２に収容した被加熱物に対するスチーム調理を開始する。一方、ステップＳ１でスチーム調理を選択せずに、別な加熱調理（レンジ加熱やオーブン加熱）を選択したと判断した場合は、図７に示すフローチャートの手順を終了し、加熱開始指示手段１０からの操作信号を受けて、レンジ加熱やオーブン加熱の調理を開始する。
【００３３】
スチーム調理を開始すると、マイコン５１は、容器温度検出手段３５からの検出信号を取り込んで、水蒸気発生手段３１の蒸発容器が所定の温度となるように、ヒータ駆動手段５７を介してシーズヒータ３３の発熱量を制御し、スチーム吹出し口３４から所定量の水蒸気が吹き出すように、ポンプ駆動手段６０を介して給水ポンプ３７の動作を制御する。「蒸し」のスチーム調理では、加熱室２内の温度管理は行わず、水蒸気発生手段３１からのスチームのみで加熱室２内の被加熱物を加熱する。
【００３４】
これに加えて、マイコン５１は必要に応じて、庫内温度検出手段５２からの検出信号を取り込んで、加熱室２内が所定の温度となるように、モータ駆動手段５９を介して熱風モータ２５を回転駆動させ、ヒータ駆動手段５７を介して熱風ヒータ２３の発熱量を制御する。こうした加熱室２の温度管理を行なうことで、加熱室２内の温度を水の沸点である１００℃以上とする「過熱水蒸気」によるスチーム調理（例えば「鶏の照り焼き」や「ハンバーグ」のメニューなど）の他に、加熱室２内の温度を水の沸点である１００℃未満とする低温度のスチーム料理（例えば「プリン」メニューでは、７８〜８２℃の温度帯が好適であり、「野菜等のビタミンＣの増加が見込める調理」メニューでは、４０〜５０℃程度の温度帯が好適である）が可能になる。
【００３５】
さらにマイコン５１は、選択した調理メニューに応じて、水蒸気発生手段３１からスチームを発生させるスチーム調理時に、輻射ヒータ２７による被加熱物への加熱を行なうこともできる。特に前述の「過熱水蒸気」では、被加熱物の表面の油脂分を水蒸気発生手段３１からの過熱水蒸気で落としながら、輻射ヒータ２７で被加熱物に焼き色を付けることが可能になる。その他、スチーム調理時にマイクロ波供給手段５０からマイクロ波を発生させて、被加熱物をレンジ加熱する調理メニューも選択可能である。
【００３６】
こうして、少なくとも水蒸気発生手段３１を利用したスチーム調理がステップＳ２で終了すると、マイコン５１は被加熱物に対する全ての加熱を停止するように、水蒸気発生手段３１を含む各部を制御する。そしてマイコン５１は、次のステップＳ３に移行して、庫内温度検出手段５２からの検出信号としてオーブンサーミスタの検知温度を取り込み、その検知温度が予め設定した閾値（例えば１００℃）を超えているか否かを判断する。検知温度が閾値以下であれば、そのままスチーム調理は終了するが、検知温度が閾値を超えていれば、ステップＳ４に移行して、マイコン５１は報知手段１６に制御信号を送出して、音声やブザーなどで使用者に注意を促す報知を報知手段１６に行なわせる。これにより使用者は、スチーム調理の終了時に加熱室２内が高温状態になっていて、ハンドル４を操作して、扉３で加熱室２の前面開口を開けたときに、加熱室２内の水蒸気が吹き出す可能性のあることを、事前に察知することができる。
【００３７】
次に、図８に基づき、レンジ調理時の動作について説明すると、ステップＳ１１において、マイコン５１は操作手段７からの操作信号に基づき、マイクロ波エネルギーで被加熱物を加熱するレンジ調理が選択されたか否かを判断する。例えば第１加熱条件設定手段８の「レンジ」キーを一乃至複数回押動操作した場合や、第２加熱条件設定手段９を適宜回転して、レンジ料理に関連する調理メニューの番号を選択した場合、マイコン５１はレンジ調理を選択したと判断して、加熱開始指示手段１０からの操作信号を受けて、加熱室２に収容した被加熱物に対するレンジ調理を開始する。一方、ステップＳ１１でレンジ調理を選択せずに、別な加熱調理を選択したと判断した場合は、図８に示すフローチャートの手順を終了し、加熱開始指示手段１０からの操作信号を受けて、選択した別な加熱調理を開始する。
【００３８】
レンジ調理を開始すると、マイコン５１は、マイクロ波供給手段５０から加熱室２に放射されるマイクロ波エネルギーが所定の出力となるように、マイクロ波加熱手段５６を制御する。また、このレンジ調理では、前述したスチーム調理の併用も可能である。
【００３９】
そして、レンジ調理の最中に赤外線センサ４３をスイング動作させることにより、庫内温度分布検出手段５３で検知した加熱室２内全体の温度情報を、マイコン５１が検出信号として取り込む（ステップＳ１２）。このスイング動作に基づく加熱室２内全体の温度検知は、一定時間（例えば５秒）を要する。
【００４０】
こうして、庫内温度分布検出手段５３による一定時間の温度検知が終了すると、マイコン５１はステップＳ１３において、記憶手段に記憶された前回の温度検知の結果を読み出し、加熱室２内の一定範囲の全てにおいて、一定時間である５秒の間に、どの程度温度が変化したのかを算出し、その温度上昇値が予め設定した閾値（例えば２０℃）を超えているか否かを判断する。温度上昇値が閾値以下であれば、ステップＳ１５に移行して、ステップＳ１２で取り込んだ加熱室２内全体の温度を、マイコン５１の記憶手段に記憶し、再びステップＳ１２に戻って、レンジ調理中の加熱室２内の全体の温度を庫内温度分布検出手段５３で検知するが、温度上昇値が閾値を超えていれば、ステップＳ１４に移行して、マイコン５１は被加熱物に対する全ての加熱を停止するように、マイクロ波供給手段５０を含む各部を制御する。こうして、吹きこぼれてしまった被加熱物への加熱を直ちに停止することで、被加熱物を無駄にせずに、加熱室２内をそれ以上汚さない状態にすることができる。
【００４１】
またステップＳ１４では、マイコン５１が報知手段１６に制御信号を送出して、音声やブザーなどでエラー検知した旨の報知を報知手段１６に行なわせ、一連のレンジ調理を終了する。これにより使用者は、レンジ調理中に加熱室２内の被加熱物に吹きこぼれが発生したのを、被加熱物への加熱が停止した状態で知ることができる。
【００４２】
図９は、被加熱物Ｏに吹きこぼれが生じた状態の加熱室２内の様子を模式的に示している。被加熱物Ｏは加熱室２の底面に載置されるので、マイコン５１は前記ステップＳ１３で、赤外線センサ４３がスイング動作により観測できる加熱室２の底面の一定範囲２Ａについて、その一定範囲２Ａの全てで、ステップＳ１２で検知した温度と、ステップＳ１５で記憶手段に記憶した温度との差から、一定時間の温度上昇値を算出する。この温度上昇値は、例えば一定範囲２Ａの個々の観測点についてそれぞれ算出してもよいし、一定範囲２Ａの全観測点の平均値について算出してもよい。被加熱物Ｏから吹きこぼれが生じていなければ、被加熱物Ｏをレンジ調理で加熱していても、ステップＳ１３で得られた一定時間の温度上昇は、閾値未満の緩やかな値となるが、被加熱物Ｏから吹きこぼれが生じると、加熱室２の底面の一部領域が、吹きこぼれにより急激に温度上昇するので、ステップＳ１３で得られた一定時間の温度上昇値は、閾値を超えたものとなる。したがってマイコン５１は、この一定時間の温度上昇値と閾値との比較により、加熱室２内に吹きこぼれが生じたか否かを適確に判断できる。
【００４３】
以上のように本実施例では、被加熱物を収容する加熱室２と、被加熱物を加熱する加熱手段としての熱風ヒータ２３や輻射ヒータ２７やマグネトロン４４と、水を加熱して蒸気を発生させ、その蒸気を加熱室２に送り込む蒸気発生手段としての水蒸気発生手段３１と、水蒸気発生手段３１に水を供給する水供給手段としての給水タンク３８と、加熱室２の温度を検出する温度検出手段としての庫内温度検出手段５２と、報知手段１６と、を備え、少なくとも水蒸気発生手段３１を使用して、例えば蒸しや過熱水蒸気などのスチーム調理で、その調理の終了時に庫内温度検出手段５２からの検出温度（検知温度）が閾値を超えた場合に、報知手段１６から注意を促す報知を行なうように構成している。
【００４４】
この場合、水蒸気発生手段３１からの水蒸気を使用するスチーム調理で、そのスチーム調理の終了時に庫内温度検出手段５２で加熱室２内の温度を検出し、その検出温度が設定した閾値を超えている場合は、加熱室２内が高温状態であることを報知手段１６で報知する。こうして、加熱室２を開けたときに水蒸気が吹き出す可能性があることを、事前に使用者に知らせて注意を促すことで、安全性の高い加熱調理器としてのオーブンレンジを提供できる。
【００４５】
また本実施例では、加熱室２にマイクロ波エネルギーを供給して、被加熱物を加熱するマイクロ波供給手段５０と、マイクロ波供給手段５０からのマイクロ波の出力を制御する制御手段３９と、加熱室２の底面全体の温度を検出する温度検出手段としての庫内温度分布検出手段５３と、報知手段１６と、を備え、加熱室２の底面の一定範囲２Ａで、庫内温度分布検出手段５３からの検出温度の一定時間における変化量として、温度上昇値が閾値を超えた場合に、マイクロ波供給手段５０による加熱を停止して、報知手段１６からの報知を行なうように、制御手段３９を構成している。
【００４６】
この場合、マイクロ波供給手段５０からのマイクロ波エネルギーで被加熱物を加熱するレンジ調理中に、庫内温度分布検出手段５３からの検出温度の一定時間における変化量が閾値を超えると、マイクロ波供給手段５０による加熱を停止し、加熱室内で吹きこぼれが発生したことを報知手段１６で報知する。こうして、被加熱物としての食材を無駄にせず、加熱室２内をそれ以上汚さない状態にして、レンジ調理中に吹きこぼれが生じたのを、使用者に知らせて注意を促すことが可能な加熱調理器としてのオーブンレンジを提供できる。
【００４７】
なお、本発明は上記実施例に限定されるものではなく、本発明の趣旨を逸脱しない範囲で種々の変更可能である。例えば図７や図８に示すフローチャートはあくまでも一例にすぎず、マイコン５１が別な処理手順で各部を制御しても構わない。
【符号の説明】
【００４８】
２  加熱室
１６  報知手段
２３  熱風ヒータ（加熱手段）
２７  輻射ヒータ（加熱手段）
３１  水蒸気発生手段（蒸気発生手段)
３９  制御手段
５０  マイクロ波供給手段
５２  庫内温度検出手段（温度検出手段）
５３  庫内温度分布検出手段（温度検出手段）
【図１】
2015222133.tif 000003
【図２】
2015222133.tif 000004
【図３】
2015222133.tif 000005
【図４】
2015222133.tif 000006
【図５】
2015222133.tif 000007
【図６】
2015222133.tif 000008
【図７】
2015222133.tif 000009
【図８】
2015222133.tif 000010
【図９】
2015222133.tif 000011